(57)【要約】    【課題】  餌を取り付けることができ、その際、餌に生き物のような動きを生じさせることができ且つ獲物の魚が掛かったときの感触を敏感にラインに伝えることができる釣具用錘を提供する。    【解決手段】  底面が曲面状の錘であって、上部に餌或いは擬似餌を取り付けるための凹部11を形成し、上部が軽く下部が重い形状にするとともに、錘の中心線13に対し角度をもって凹部11を通る貫通孔12を形成し、道糸が錘の中心線に対し角度を有して連結されるように構成する。    【選択図】  図１
2006020504.tif 000002
【特許請求の範囲】
【請求項１】
曲面状の底面と、上面に餌或いは擬似餌の先端を受け入れる凹部を有する釣具用錘であって、
前記錘の重心を通る錘の中心線に対し、角度を有して、前記錘に道糸を連結する手段を備えたことを特徴とする釣具用錘。
【請求項２】
前記連結する手段は、前記凹部の底部を通り、前記中心線を外れるように穿設された貫通孔であることを特徴とする請求項１記載の釣具用錘。
【請求項３】
前記連結する手段は、釣具用錘の外面の、前記中心線との交点（立地点）以外の位置に固定されたラインアイであることを特徴とする請求項１記載の釣具用錘。
【請求項４】
前記凹部が形成された面の少なくとも一部及び／又は当該面の近傍を、水より比重の軽い浮力部材で構成したことを特徴とする請求項１ないし３いずれか１項記載の釣具用錘。
【請求項５】
前記凹部に、餌又は疑似餌を刺し込むための餌刺部が備えられていることを特徴とする請求項１ないし４いずれか１項記載の釣具用錘。
【請求項６】
前記餌刺部は、前記凹部に対し回転自在に固定されていることを特徴とする請求項５記載の釣具用錘。
【請求項７】
前記餌刺部は、中空であって中空部が前記貫通孔に連続していることを特徴とする請求項５又は６に記載の釣具用錘。
【請求項８】
外周部を弾性体で覆ったことを特徴とする請求項１ないし７いずれか１項記載の釣具用錘。
【発明の詳細な説明】
【技術分野】
【０００１】
この発明は、釣具用錘に係り、特に餌を取り付けることができ、その際、魚を餌に誘う効果が高い釣具用錘に関する。
【背景技術】
【０００２】
魚釣りでは、魚をいかにして餌に誘い食いつかせて鉤にかけるかが最も重要であり、餌の姿勢と動きが魚にとって興味ある、自然な生き物の動きに見えるように種々の仕掛けが工夫されている。
【０００３】
一方、錘は餌や鉤をつけた仕掛けを水中に安定して投げ込むと共に定着させるためのものであり、上述した餌の自然な動きを妨げないことが要求される。このため錘の重さやその分布、形状については種々の工夫がなされており、例えば、特許文献１には樹脂成形品の一部を重くして錘部として釣具が提案されている。また錘に付加機能を付与したものとして、特許文献２には集魚物質を保持可能な、内部に多数の開空孔を有する釣具用錘が提案されている。
【特許文献１】特開平１１−１７８４９３号公報
【特許文献２】特開２００４−１１３０３４号公報
【発明の開示】
【発明が解決しようとする課題】
【０００４】
本発明は、錘としての基本的な機能に加えて、餌を取り付けることができ、その際、餌に生き物のような動きを生じさせることができ且つ獲物の魚が掛かったときの感触を敏感にラインに伝えることができる釣具用錘を提供することを目的とする。
【課題を解決するための手段】
【０００５】
本発明の釣具用錘は、上部に餌或いは擬似餌（以下、これらを合わせて餌ともいう）を取り付けるための凹部を形成し、上部が軽く下部が重い形状にするとともに、錘の中心線に対し道糸が角度を有して連結されるように構成したことにより、上記課題を解決するものである。
即ち、本発明の釣具用錘は、曲面状の底面と、上面に餌の先端を受け入れる凹部を有する釣具用錘であって、前記錘の重心を通る中心線に対し角度を有して、前記錘に道糸を連結する手段を備えたことを特徴とする。
なお本明細書において、錘の上面は、底面と対向する面のみならず底面よりも上側にある面を意味する。
【０００６】
道糸が中心線に対し角度を有するように連結する手段は、道糸を通すための貫通孔であっても道糸を通すラインアイであってもよく、貫通孔の場合には、凹部の底部を通り、中心線を外れるように穿設する。またラインアイの場合には、釣具用錘の外面の、中心線との交点（立地点）以外の位置に固定する。
【０００７】
本発明の釣具用錘は、凹部が形成されたことにより凹部を上部としたとき、下部よりも軽くなるが、さらに凹部が形成された面の少なくとも一部又は当該面の近傍を、水より比重の軽い浮力部材で構成することが可能である。
餌を受け入れるための凹部には、例えば、餌を刺し込む餌刺部が固定される。餌刺部は、凹部に対し回転自在に固定してもよい。餌刺部を、中空の部材で構成し、その中空部が道糸を通すための貫通孔に連続する構成とすることもできる。また餌刺部を、水より比重の軽い浮力部材で構成することも可能である。
また本発明の釣具用錘は、その外周部を弾性体で覆ってもよい。
【発明の効果】
【０００８】
本発明の釣具用錘によれば、上部に餌を取り付けるための凹部を形成したことにより、錘が水底に着地した時の姿勢を一定に保ち、仕掛けを安定な姿勢に保つことができる。また下部が曲面状であるため、水の動きや道糸の張力の変化で容易に揺れ、上部に固定された餌に自然な動きを与えることができる。さらに錘の中心線に対し道糸が角度を有して連結されるように構成したことにより、水底への着地時に道糸が錘と水底に挟まれ道糸の動きが妨げられることがない。また錘は常に立地点を真下に餌の先端を上にして立ち、餌が水底で倒れたまま動かないということがない。
【０００９】
また本発明の釣具用錘によれば、凹部に餌を固定するための餌刺部を設けたことにより、餌が容易に抜け落ちるのを防止できる。餌刺部を回転自在に固定した場合には、餌に回転方向の動きをも与えることができ、餌の動きを生き生きとしたものにできる。
【発明を実施するための最良の形態】
【００１０】
以下、本発明の釣具用錘の実施の形態を、図面を参照して説明する。
図１は、本発明の第１の実施形態による釣具用錘を示す図であり、（ａ）は外観を示す図、（ｂ）は錘の中心線を含む断面図、（ｃ）〜（ｅ）は変更例を示す図である。この錘10は、金属、樹脂等の水よりも比重の重い材料からなり、略球状の形状を有し、外面の一部にくぼみ（凹部）11が形成されるとともに、くぼみ11の底部中心から錘を貫通する貫通孔12が形成されている。
【００１１】
くぼみ11は餌を受け入れるためのもので、単に半円状でもよいし、図示するように複数の段が形成されていてもよい。くぼみ11の深さは特に限定されないが、その底部が球の中心に達する程度が好ましいが、使用する餌、疑似餌のサイズ、目的とする水深により錘の大小、窪みの深さは自由に選択出来る。くぼみ11に餌を固定する方法としては、道糸に取り付けた鉤に餌を引っ掛けた状態で餌の先端をくぼみ11に嵌め込むようにしてもよいし、後述する固定手段をくぼみに設けてもよい。
貫通孔12は、道糸を通すための孔で、くぼみ11の底部を始点としたとき、錘の中心及び重心を通る中心線13が錘の外面と交差する点（以下、立地点という）14から外れた位置が終点15となるように形成されている。終点15が立地点以外の位置であれば、貫通孔12の形状は（ｂ）、（ｄ）、（ｅ）に示すように直線状でもよいし、（ｃ）に示すように曲線状でもよい。また貫通孔12は、複数設けてもよい（（ｄ）、（ｅ））。
【００１２】
このように貫通孔12の終点15を立地点14から外れた位置にすることにより、図２に示すように、ライン20を引っ張った状態でも餌30が水底から浮こうとする作用状態を保つことができ、魚をおびき寄せることができる。これに対し、貫通孔12を中心線13に沿って設けた場合には、図１２に示すように、ライン20が緩んだ状態（（ｂ）に示す状態）では餌30を上向きの姿勢に保つことができるが、ライン20を引っ張った状態（（ａ）に示す状態）では餌30が水底に横たわり、魚をおびきよせる効果が損なわれる。
【００１３】
本実施形態の釣具用錘10は、上部よりも下部が重い構成とし、且つ下部が球状であるので安定した錘の動作を可能にするとともに、水の動きやラインの引張り力によって容易に揺れ、餌に自然な動きをもたらすことができる。なお、本実施形態の釣具用錘10の形状は、底部が曲面状であればよいので、その効果を損なわない範囲で種々の形状の変更を行なうことが可能である。図３〜図６に変更例を示す。
【００１４】
図３は、回転楕円体（フットボール型）にしたものであり、（ａ）は断面図、（ｂ）は正面図、（ｃ）は側面図をそれぞれ表している。
図４は、ほぼ下半分を球状とし上側を頂角が鈍角である三角錐状に形成したものであり、（ａ）は正面図、（ｂ）は断面図、（ｃ）は背面図をそれぞれ表している。この実施形態では、三角錐を構成する一つの面にくぼみ11が形成され、貫通孔12はくぼみ11の底部を始点として、他の２つの面と下部の球面とが集る位置まで略水平に形成されている。
【００１５】
図５は、さらに図４の形状を変形し、下部の曲面が回転楕円体の一部となるように（舟形に）したものである。ここでも（ａ）は正面図、（ｂ）は断面図、（ｃ）は背面図をそれぞれ表している。
図６は、球体ではなく、円板状にしたものであり、（ａ）は正面図、（ｂ）は断面図、（ｃ）は上面図である。図示するように、この錘の両面10a、10bは平面であり、曲面である側面10cにくぼみ11が形成されるとともに、平面部10a、10bに平行に貫通孔12が形成されている。
【００１６】
なお図３〜図６は単なる例示であって、（１）底部が曲面であること、（２）上部にくぼみが形成されていること、（３）くぼみの底部から中心線と角度をなすように貫通孔が形成されていること、を満たすものであれば、種々の変更が可能である。また図３〜図６に示した形状の変更のほか、別の機能を付加することも可能である。例えば図１（ｅ）に示した錘は、くぼみ11を設けた面に環状の溝16を形成し、錘が動いたときに音が変化し、魚を引き寄せるように構成されている。さらに、後述するように、くぼみ11に餌を固定するための機構を設けることも可能である。
【００１７】
次に本発明の第２の実施形態を説明する。
この実施形態では、道糸を錘に連結する手段として、貫通孔の代わりにラインアイを設けると共に、餌を固定するための手段をくぼみ内に形成したものである。図７に本実施形態による錘の例を示す。
【００１８】
図７（ａ）、（ｂ）に示す錘70は、それぞれ図１の形状と同様の、ほぼ球状の形状を有し、その外面にくぼみ71が形成されている。但し、この実施形態の錘は貫通孔ではなく、道糸を通すためのラインアイ72が立地点とは異なる位置に固定されている。またくぼみ71に餌を固定するための手段が形成されている。（ａ）に示す錘は、鉤73を埋設するための鉤固定部75が錘本体と一体に形成されており、この部分に鉤73を突き刺すことにより鉤73を錘に固定するように構成されている。また（ｂ）に示す錘は、くぼみ71の底部に、餌刺部74が形成されている。餌刺部74は、表面に鉤状の突起が形成されており、刺した餌が簡単に外れないようになっている。
【００１９】
この実施形態の錘も、ラインアイ72を立地点と異なる位置に取り付けたことにより、第１の実施形態と同様に、ラインを引っ張った状態でも鉤73又は餌刺部74に固定された餌が水底から浮いた状態を保つことができ、魚をおびき寄せることができる（図２参照）。
【００２０】
またこの実施形態についても、図７に示すものに限定されず、錘やくぼみの形状などに種々の変更を加えることが可能であり、例えば、図３〜図６に示すような形状にすることも可能である。またラインアイ72の代わりに回転スイベルを取り付けてもよい。回転スイベルをラインアイとして使用することにより、重心復帰が早くなり水底の起伏に対して、より安定した位置を保つことができる。
【００２１】
次に本発明の第３の実施形態を説明する。
この実施形態の釣具用錘は、第１の実施形態の錘と同様に貫通孔を有し、且つくぼみに餌を取り付けるための餌刺部を備えた構成を有している。図８（ａ）、（ｂ）に本実施形態の錘の一例を示す。
【００２２】
図示するように、本実施形態の錘80は、ほぼ球状の形状を有し、その外面にくぼみ81が形成されていること、及びくぼみ81の底部に餌を固定するための手段（餌刺部或いは鉤固定部）84、85が形成されていることは、図７に示す実施形態と同様である。但し、本実施形態では、餌刺部84、85は中空状であって、この中空部は、くぼみ81の底部から下方に向かって形成された貫通孔82につながっている。即ち、貫通孔82は餌刺部84、鉤固定部85を貫いて底部の外面まで形成されており、その終点（貫通孔82と外面との交点）が錘の立地点とは異なる位置に固定されている。
【００２３】
この実施形態の錘も、上述した第１及び第２の実施形態と同様の効果を得ることができ、また同様の変更を加えることができる。例えば、図7及び図8に示す実施形態では、餌刺部73、83が錘と一体に形成されている場合を示したが、図９に示すように、餌刺部93を本体とは別に形成し、本体に形成された支持部96に嵌合させるようにしてもよい。支持部96に餌刺部93を固定するには、金属や樹脂製のカラーなどを用いてもよいが、図示する例では、くぼみ91の底部にベアリング97を固定し、ベアリング97により餌刺部93を回転自在に支持する構造としている。これによって餌刺部93に固定された餌に回転方向の動きを与えることができる。
【００２４】
以上、本発明の釣具用錘の基本的な構成として第１〜第３の実施形態を説明したが、これらの実施形態は、さらに上部の浮力を高める機能や、根掛かりを防止する機能を付与することが可能である。
【００２５】
上部の浮力を高める機能は、例えば、凹部が形成された面の少なくとも一部を、水より比重の軽い浮力部材で構成することにより達成できる。図１０は、上部の浮力を高めた例を示す図で、図示する例は、図１に示す錘10について、くぼみ11と貫通孔12の内面を（ａ）、或いはくぼみ11の内面だけを（ｂ）、水より比重の軽いプラスチック50等で覆ったものである。上部の浮力を高めることにより、水中における重心位置をより低くして錘の自立力を高め、倒れに対する復帰力を高めることができる。なお上部の浮力を高めるために、プラスチックで覆う代わりに、錘の上部を構成する材料を軽量の材料とし、下部を構成する比重の重い材料と接合してもよい。
【００２６】
図１１は、錘の少なくとも一部を柔軟な弾性材料で覆うことにより、根掛かりを防止する機能を付与した例を示す図である。（ａ）〜（ｃ）は、それぞれフットボール型、舟形及び球形の錘の周囲に、ゴムやエラストマーなどの弾性材料からなる環状部材60を装着したものである。錘が水底の岩や植物の根等の障害物に引っ掛ったときに、道糸を強く引き寄せることで、弾性材料60が撓んで障害物をすり抜けることができ、仕掛けを失うことを防ぐことができる。
【産業上の利用可能性】
【００２７】
本発明の釣具用錘によれば、錘も下面を球面としたことによりわずかな水の流れやラインの張力で揺れ動き、魚を誘うことができる。また餌をくぼみに固定することにより内部に隠された鉤は、水底に横たわることなく立っているため、魚が飲み込みやすく釣れる確率が高い。また道糸にわずかな張力を与え、錘の位置を変えずにその場で餌を揺らし誘いをかけることもできる。
【図面の簡単な説明】
【００２８】
【図１】本発明の釣具用錘の第１の実施形態を示す図
【図２】本発明の釣具用錘の動きを説明する図
【図３】本発明の第１の実施形態の変更例を示す図
【図４】本発明の第１の実施形態の変更例を示す図
【図５】本発明の第１の実施形態の変更例を示す図
【図６】本発明の第１の実施形態の変更例を示す図
【図７】本発明の釣具用錘の第２の実施形態を示す図
【図８】本発明の釣具用錘の第３の実施形態を示す図
【図９】本発明の第３の実施形態の変更例を示す図
【図１０】本発明の別の実施形態を示す図
【図１１】本発明のさらに別の実施形態を示す図
【図１２】従来の釣具用錘の動きを説明する図
【符号の説明】
【００２９】
10、70、80、90・・・錘、11、71、81、91・・・くぼみ（凹部）、12、82・・・貫通孔、13・・・中心線、14・・・立地点、20・・・道糸、30・・・餌（擬似餌を含む）、50・・・プラスチック（浮力材料）、60・・・弾性材料、72・・・ラインアイ、73・・・鉤、74・・・固定部、75・・・餌刺部。
【図１】
2006020504.tif 000003
【図２】
2006020504.tif 000004
【図３】
2006020504.tif 000005
【図４】
2006020504.tif 000006
【図５】
2006020504.tif 000007
【図６】
2006020504.tif 000008
【図７】
2006020504.tif 000009
【図８】
2006020504.tif 000010
【図９】
2006020504.tif 000011
【図１０】
2006020504.tif 000012
【図１１】
2006020504.tif 000013
【図１２】
2006020504.tif 000014